(57)【要約】【課題】ユーザの操作負担を軽減するための電子メール本文の表示方法において、更なる利便性の向上を図る携帯端末装置、その画面表示制御方法及びプログラムを提供する。【解決手段】自動スクロールにより電子メールを表示する機能を備えた携帯端末装置において、あらかじめ設定された、所定の要素に応じたスクロール速度及びスクロール行数を記憶する記憶手段と、所定の要素が所定の条件を満たすか否かを判断する判断手段と、判断手段による判断の結果に基づいて、記憶手段に記憶されている、あらかじめ設定されたスクロール速度及びスクロール行数で、電子メールを自動スクロールで表示するように制御する制御手段と、を有する。【選択図】図１
2008210049.tif 000002
【特許請求の範囲】
【請求項１】
自動スクロールにより電子メールを表示する機能を備えた携帯端末装置において、
あらかじめ設定された、所定の要素に応じたスクロール速度及びスクロール行数を記憶する記憶手段と、
前記所定の要素が所定の条件を満たすか否かを判断する判断手段と、
前記判断手段による判断の結果に基づいて、前記記憶手段に記憶されている、あらかじめ設定されたスクロール速度及びスクロール行数で、前記電子メールを自動スクロールで表示するように制御する制御手段と、
を有することを特徴とする携帯端末装置。
【請求項２】
前記所定の要素は、前記電子メールのデータ量であり、
前記制御手段は、
前記判断手段により、前記電子メールのデータ量が所定の値を超えたと判断された場合に、前記記憶手段に記憶されている、前記電子メールのデータ量に応じてあらかじめ設定されたスクロール速度及びスクロール行数で、前記電子メールを自動スクロールで表示するように制御することを特徴とする請求項１記載の携帯端末装置。
【請求項３】
前記判断手段は、
前記電子メールの本文の文頭から、あらかじめ指定された文字の数をカウントし、前記記憶手段にあらかじめ設定された数を超えたか否かを判断し、
前記制御手段は、
前記判断手段による判断の結果、あらかじめ設定された数を超えた場合、前記電子メールの本文中のあらかじめ設定された位置にスキップし、該位置から表示を開始するように制御することを特徴とする請求項１又は２記載の携帯端末装置。
【請求項４】
前記記憶手段は、
前記判断手段により、前記電子メールのデータ量が所定値を超えたと判断された場合に、前記スクロール速度及び前記スクロール行数のうち少なくとも１つを一定にして表示する設定があらかじめされ、
前記制御手段は、
前記記憶手段にあらかじめされた設定に従って、前記電子メールの自動スクロール表示を制御することを特徴とする請求項１から３のいずれか１項に記載の携帯端末装置。
【請求項５】
前記記憶手段は、
前記電子メールのデータ量が複数設定され、該複数のデータ量毎に、前記スクロール速度及び前記スクロール行数が設定され、
前記制御手段は、
前記記憶手段にあらかじめされた設定に従って、前記電子メールの自動スクロール表示を制御することを特徴とする請求項１から４のいずれか１項に記載の携帯端末装置。
【請求項６】
前記記憶手段は、
画面に表示できる最大文字数に応じて、前記スクロール速度及び前記スクロール行数を変化させる設定があらかじめされ、
前記制御手段は、
前記記憶手段にあらかじめされた設定に従って、前記電子メールの自動スクロール表示を制御することを特徴とする請求項１から５のいずれか１項に記載の携帯端末装置。
【請求項７】
前記記憶手段は、
縦画面表示と横画面表示の両方が可能な表示部の場合に、縦画面と横画面とのそれぞれに応じて、スクロール速度及びスクロール行数を変化させる設定があらかじめされ、
前記制御手段は、
前記記憶手段にあらかじめされた設定に従って、前記電子メールの自動スクロール表示を制御することを特徴とする請求項１から６のいずれか１項に記載の携帯端末装置。
【請求項８】
前記記憶手段は、
実際に画面に表示している文字数に応じて、前記スクロール速度及び前記スクロール行数を変化させる設定があらかじめされ、
前記制御手段は、
前記記憶手段にあらかじめされた設定に従って、前記電子メールの自動スクロール表示を制御することを特徴とする請求項１から７のいずれか１項に記載の携帯端末装置。
【請求項９】
前記自動スクロール表示を行うか否かを選択させる選択手段をさらに有し、
前記制御手段は、
前記選択手段により、前記自動スクロール表示の実行を指示された場合に、前記スクロール速度及び前記スクロール行数で、前記電子メールの自動スクロール表示を制御することを特徴とする請求項１から８のいずれか１項に記載の携帯端末装置。
【請求項１０】
自動スクロールにより電子メールを表示する機能を備えた携帯端末装置の画面表示制御方法において、
あらかじめ設定された、所定の要素に応じたスクロール速度及びスクロール行数を記憶する記憶ステップと、
前記所定の要素が所定の条件を満たすか否かを判断する判断ステップと、
前記判断手段による判断の結果に基づいて、前記記憶手段に記憶されている、あらかじめ設定されたスクロール速度及びスクロール行数で、前記電子メールを自動スクロールで表示するように制御する制御ステップと、
を有することを特徴とする携帯端末装置の画面表示制御方法。
【請求項１１】
前記所定の要素は、前記電子メールのデータ量であり、
前記制御ステップは、
前記判断ステップにより、前記電子メールのデータ量が所定の値を超えたと判断された場合に、前記記憶ステップで記憶した、前記電子メールのデータ量に応じてあらかじめ設定されたスクロール速度及びスクロール行数で、前記電子メールを自動スクロールで表示するように制御することを特徴とする請求項１０記載の携帯端末装置の画面表示制御方法。
【請求項１２】
前記判断ステップは、
前記電子メールの本文の文頭から、あらかじめ指定された文字の数をカウントし、前記記憶ステップであらかじめ設定された数を超えたか否かを判断し、
前記制御ステップは、
前記判断ステップによる判断の結果、あらかじめ設定された数を超えた場合、前記電子メールの本文中のあらかじめ設定された位置にスキップし、該位置から表示を開始するように制御することを特徴とする請求項１０又は１１記載の携帯端末装置の画面表示制御方法。
【請求項１３】
前記記憶ステップは、
前記判断ステップにより、前記電子メールのデータ量が所定値を超えたと判断された場合に、前記スクロール速度及び前記スクロール行数のうち少なくとも１つを一定にして表示する設定があらかじめされ、
前記制御ステップは、
前記記憶ステップにあらかじめされた設定に従って、前記電子メールの自動スクロール表示を制御することを特徴とする請求項１０から１２のいずれか１項に記載の携帯端末装置の画面表示制御方法。
【請求項１４】
前記記憶ステップは、
前記電子メールのデータ量が複数設定され、該複数のデータ量毎に、前記スクロール速度及び前記スクロール行数が設定され、
前記制御ステップは、
前記記憶ステップにあらかじめされた設定に従って、前記電子メールの自動スクロール表示を制御することを特徴とする請求項１０から１３のいずれか１項に記載の携帯端末装置の画面表示制御方法。
【請求項１５】
前記記憶ステップは、
画面に表示できる最大文字数に応じて、前記スクロール速度及び前記スクロール行数を変化させる設定があらかじめされ、
前記制御ステップは、
前記記憶ステップにあらかじめされた設定に従って、前記電子メールの自動スクロール表示を制御することを特徴とする請求項１０から１４のいずれか１項に記載の携帯端末装置の画面表示制御方法。
【請求項１６】
前記記憶ステップは、
縦画面表示と横画面表示の両方が可能な表示部の場合に、縦画面と横画面とのそれぞれに応じて、スクロール速度及びスクロール行数を変化させる設定があらかじめされ、
前記制御ステップは、
前記記憶ステップにあらかじめされた設定に従って、前記電子メールの自動スクロール表示を制御することを特徴とする請求項１０から１５のいずれか１項に記載の携帯端末装置の画面表示制御方法。
【請求項１７】
前記記憶ステップは、
実際に画面に表示している文字数に応じて、前記スクロール速度及び前記スクロール行数を変化させる設定があらかじめされ、
前記制御ステップは、
前記記憶ステップにあらかじめされた設定に従って、前記電子メールの自動スクロール表示を制御することを特徴とする請求項１０から１６のいずれか１項に記載の携帯端末装置の画面表示制御方法。
【請求項１８】
前記自動スクロール表示を行うか否かを選択させる選択ステップをさらに有し、
前記制御ステップは、
前記選択ステップにより、前記自動スクロール表示の実行を指示された場合に、前記スクロール速度及び前記スクロール行数で、前記電子メールの自動スクロール表示を制御することを特徴とする請求項１０から１７のいずれか１項に記載の携帯端末装置の画面表示制御方法。
【請求項１９】
自動スクロールにより電子メールを表示する機能を備えた端末装置に画面表示制御方法を実行させるためのプログラムにおいて、
あらかじめ設定された、所定の要素に応じたスクロール速度及びスクロール行数を記憶する記憶処理と、
前記所定の要素が所定の条件を満たすか否かを判断する判断処理と、
前記判断手段による判断の結果に基づいて、前記記憶手段に記憶されている、あらかじめ設定されたスクロール速度及びスクロール行数で、前記電子メールを自動スクロールで表示するように制御する制御処理と、
を前記端末装置に実行させることを特徴とするプログラム。
【請求項２０】
前記所定の要素は、前記電子メールのデータ量であり、
前記制御処理は、
前記判断処理により、前記電子メールのデータ量が所定の値を超えたと判断された場合に、前記記憶処理で記憶した、前記電子メールのデータ量に応じてあらかじめ設定されたスクロール速度及びスクロール行数で、前記電子メールを自動スクロールで表示するように制御することを特徴とする請求項１９記載のプログラム。
【請求項２１】
前記判断処理は、
前記電子メールの本文の文頭から、あらかじめ指定された文字の数をカウントし、前記記憶処理であらかじめ設定された数を超えたか否かを判断し、
前記制御処理は、
前記判断処理による判断の結果、あらかじめ設定された数を超えた場合、前記電子メールの本文中のあらかじめ設定された位置にスキップし、該位置から表示を開始するように制御することを特徴とする請求項１９又は２０記載のプログラム。
【請求項２２】
前記記憶処理は、
前記判断処理により、前記電子メールのデータ量が所定値を超えたと判断された場合に、前記スクロール速度及び前記スクロール行数のうち少なくとも１つを一定にして表示する設定があらかじめされ、
前記制御処理は、
前記記憶処理にあらかじめされた設定に従って、前記電子メールの自動スクロール表示を制御することを特徴とする請求項１９から２１のいずれか１項に記載のプログラム。
【請求項２３】
前記記憶処理は、
前記電子メールのデータ量が複数設定され、該複数のデータ量毎に、前記スクロール速度及び前記スクロール行数が設定され、
前記制御処理は、
前記記憶処理にあらかじめされた設定に従って、前記電子メールの自動スクロール表示を制御することを特徴とする請求項１９から２２のいずれか１項に記載のプログラム。
【請求項２４】
前記記憶処理は、
画面に表示できる最大文字数に応じて、前記スクロール速度及び前記スクロール行数を変化させる設定があらかじめされ、
前記制御処理は、
前記記憶処理にあらかじめされた設定に従って、前記電子メールの自動スクロール表示を制御することを特徴とする請求項１９から２３のいずれか１項に記載のプログラム。
【請求項２５】
前記記憶処理は、
縦画面表示と横画面表示の両方が可能な表示部の場合に、縦画面と横画面とのそれぞれに応じて、スクロール速度及びスクロール行数を変化させる設定があらかじめされ、
前記制御処理は、
前記記憶処理にあらかじめされた設定に従って、前記電子メールの自動スクロール表示を制御することを特徴とする請求項１９から２４のいずれか１項に記載のプログラム。
【請求項２６】
前記記憶処理は、
実際に画面に表示している文字数に応じて、前記スクロール速度及び前記スクロール行数を変化させる設定があらかじめされ、
前記制御処理は、
前記記憶処理にあらかじめされた設定に従って、前記電子メールの自動スクロール表示を制御することを特徴とする請求項１９から２５のいずれか１項に記載のプログラム。
【請求項２７】
前記自動スクロール表示を行うか否かを選択させる選択処理をさらに実行させ、
前記制御処理は、
前記選択処理により、前記自動スクロール表示の実行を指示された場合に、前記スクロール速度及び前記スクロール行数で、前記電子メールの自動スクロール表示を制御することを特徴とする請求項１９から２６のいずれか１項に記載のプログラム。
【発明の詳細な説明】
【技術分野】
【０００１】
本発明は、電子メールを送受信でき、また、送受信した電子メールを画面表示できる携帯端末装置、その画面表示制御方法及びプログラムに関する。
【背景技術】
【０００２】
携帯電話機、ＰＨＳ（Personal Handyphone System）、ＰＤＡ（Personal Data Assistance，Personal Digital Assistants：個人向け携帯型情報通信機器）等の携帯端末装置の多くは、電子メールの送受信を行うことができる。
【０００３】
ところが、携帯端末装置は、携帯に便利なように小型にしたものが多く、その表示部や操作部が小さいために、送受信した電子メールを表示する操作は、通常のデスクトップ型のパーソナルコンピュータ等に使用されるキーボードやマウス等で操作する場合と比べると、かなりの困難性を伴う場合が多い。特に、メール本文が長文の場合、本文を表示する為には、スクロール時にキーを何回も押したり、キーを押し続けたりしておく必要があり、全文をスクロール表示させて、本文を読む際にはかなりの困難性を伴う。
【０００４】
また、転送メールなどの場合、文頭に複数のメールアドレスが記載されていて、送信した相手の必要なメッセージ部分を表示させるまでに、数回に渡るスクロール作業が必要になる場合がある。
【０００５】
従来技術例として、フラッシュメモリに格納された各送受信メールの文字総数を取得し、それに基づいてフォントサイズやスクロール速度を決定し、表示部に表示することにより、メール閲覧時の利便性を図る「通信端末」がある（例えば、特許文献１参照）。
【特許文献１】特開２００３−１０８４８７号公報
【発明の開示】
【発明が解決しようとする課題】
【０００６】
しかしながら、上記特許文献１記載の発明では、メールの文字総数に基づいてフォントサイズやスクロール速度を変更できるのみに留まるので、メール閲覧時における更なる利便性の向上が望まれる。特に、従来は、メール本文が１行ずつスクロールするものが一般的であったので、スクロールする行数についても変更できることは、メール閲覧時における利便性の向上に繋がる。
【０００７】
本発明は、上記事情に鑑みてなされたものであり、使用者（ユーザ）の操作負担を軽減するための電子メール本文の表示方法において、更なる利便性の向上を図る携帯端末装置、その画面表示制御方法及びプログラムを提供することを目的とする。
【課題を解決するための手段】
【０００８】
かかる目的を達成するために、請求項１記載の発明は、自動スクロールにより電子メールを表示する機能を備えた携帯端末装置において、あらかじめ設定された、所定の要素に応じたスクロール速度及びスクロール行数を記憶する記憶手段と、所定の要素が所定の条件を満たすか否かを判断する判断手段と、判断手段による判断の結果に基づいて、記憶手段に記憶されている、あらかじめ設定されたスクロール速度及びスクロール行数で、電子メールを自動スクロールで表示するように制御する制御手段と、を有することを特徴とする。
【０００９】
請求項２記載の発明は、請求項１記載の発明において、所定の要素は、電子メールのデータ量であり、制御手段は、判断手段により、電子メールのデータ量が所定の値を超えたと判断された場合に、記憶手段に記憶されている、電子メールのデータ量に応じてあらかじめ設定されたスクロール速度及びスクロール行数で、電子メールを自動スクロールで表示するように制御することを特徴とする。
【００１０】
請求項３記載の発明は、請求項１又は２記載の発明において、判断手段は、電子メールの本文の文頭から、あらかじめ指定された文字の数をカウントし、記憶手段にあらかじめ設定された数を超えたか否かを判断し、制御手段は、判断手段による判断の結果、あらかじめ設定された数を超えた場合、電子メールの本文中のあらかじめ設定された位置にスキップし、位置から表示を開始するように制御することを特徴とする。
【００１１】
請求項４記載の発明は、請求項１から３のいずれか１項に記載の発明において、記憶手段は、判断手段により、電子メールのデータ量が所定値を超えたと判断された場合に、スクロール速度及びスクロール行数のうち少なくとも１つを一定にして表示する設定があらかじめされ、制御手段は、記憶手段にあらかじめされた設定に従って、電子メールの自動スクロール表示を制御することを特徴とする。
【００１２】
請求項５記載の発明は、請求項１から４のいずれか１項に記載の発明において、記憶手段は、電子メールのデータ量が複数設定され、複数のデータ量毎に、スクロール速度及びスクロール行数が設定され、制御手段は、記憶手段にあらかじめされた設定に従って、電子メールの自動スクロール表示を制御することを特徴とする。
【００１３】
請求項６記載の発明は、請求項１から５のいずれか１項に記載の発明において、記憶手段は、画面に表示できる最大文字数に応じて、スクロール速度及びスクロール行数を変化させる設定があらかじめされ、制御手段は、記憶手段にあらかじめされた設定に従って、電子メールの自動スクロール表示を制御することを特徴とする。
【００１４】
請求項７記載の発明は、請求項１から６のいずれか１項に記載の発明において、記憶手段は、縦画面表示と横画面表示の両方が可能な表示部の場合に、縦画面と横画面とのそれぞれに応じて、スクロール速度及びスクロール行数を変化させる設定があらかじめされ、制御手段は、記憶手段にあらかじめされた設定に従って、電子メールの自動スクロール表示を制御することを特徴とする。
【００１５】
請求項８記載の発明は、請求項１から７のいずれか１項に記載の発明において、記憶手段は、実際に画面に表示している文字数に応じて、スクロール速度及びスクロール行数を変化させる設定があらかじめされ、制御手段は、記憶手段にあらかじめされた設定に従って、電子メールの自動スクロール表示を制御することを特徴とする。
【００１６】
請求項９記載の発明は、請求項１から８のいずれか１項に記載の発明において、自動スクロール表示を行うか否かを選択させる選択手段をさらに有し、制御手段は、選択手段により、自動スクロール表示の実行を指示された場合に、スクロール速度及びスクロール行数で、電子メールの自動スクロール表示を制御することを特徴とする。
【００１７】
請求項１０記載の発明は、自動スクロールにより電子メールを表示する機能を備えた携帯端末装置の画面表示制御方法において、あらかじめ設定された、所定の要素に応じたスクロール速度及びスクロール行数を記憶する記憶ステップと、所定の要素が所定の条件を満たすか否かを判断する判断ステップと、判断手段による判断の結果に基づいて、記憶手段に記憶されている、あらかじめ設定されたスクロール速度及びスクロール行数で、電子メールを自動スクロールで表示するように制御する制御ステップと、を有することを特徴とする。
【００１８】
請求項１１記載の発明は、請求項１０記載の発明において、所定の要素は、電子メールのデータ量であり、制御ステップは、判断ステップにより、電子メールのデータ量が所定の値を超えたと判断された場合に、記憶ステップで記憶した、電子メールのデータ量に応じてあらかじめ設定されたスクロール速度及びスクロール行数で、電子メールを自動スクロールで表示するように制御することを特徴とする。
【００１９】
請求項１２記載の発明は、請求項１０又は１１記載の発明において、判断ステップは、電子メールの本文の文頭から、あらかじめ指定された文字の数をカウントし、記憶ステップであらかじめ設定された数を超えたか否かを判断し、制御ステップは、判断ステップによる判断の結果、あらかじめ設定された数を超えた場合、電子メールの本文中のあらかじめ設定された位置にスキップし、位置から表示を開始するように制御することを特徴とする。
【００２０】
請求項１３記載の発明は、請求項１０から１２のいずれか１項に記載の発明において、記憶ステップは、判断ステップにより、電子メールのデータ量が所定値を超えたと判断された場合に、スクロール速度及びスクロール行数のうち少なくとも１つを一定にして表示する設定があらかじめされ、制御ステップは、記憶ステップにあらかじめされた設定に従って、電子メールの自動スクロール表示を制御することを特徴とする。
【００２１】
請求項１４記載の発明は、請求項１０から１３のいずれか１項に記載の発明において、記憶ステップは、電子メールのデータ量が複数設定され、複数のデータ量毎に、スクロール速度及びスクロール行数が設定され、制御ステップは、記憶ステップにあらかじめされた設定に従って、電子メールの自動スクロール表示を制御することを特徴とする。
【００２２】
請求項１５記載の発明は、請求項１０から１４のいずれか１項に記載の発明において、記憶ステップは、画面に表示できる最大文字数に応じて、スクロール速度及びスクロール行数を変化させる設定があらかじめされ、制御ステップは、記憶ステップにあらかじめされた設定に従って、電子メールの自動スクロール表示を制御することを特徴とする。
【００２３】
請求項１６記載の発明は、請求項１０から１５のいずれか１項に記載の発明において、記憶ステップは、縦画面表示と横画面表示の両方が可能な表示部の場合に、縦画面と横画面とのそれぞれに応じて、スクロール速度及びスクロール行数を変化させる設定があらかじめされ、制御ステップは、記憶ステップにあらかじめされた設定に従って、電子メールの自動スクロール表示を制御することを特徴とする。
【００２４】
請求項１７記載の発明は、請求項１０から１６のいずれか１項に記載の発明において、記憶ステップは、実際に画面に表示している文字数に応じて、スクロール速度及びスクロール行数を変化させる設定があらかじめされ、制御ステップは、記憶ステップにあらかじめされた設定に従って、電子メールの自動スクロール表示を制御することを特徴とする。
【００２５】
請求項１８記載の発明は、請求項１０から１７のいずれか１項に記載の発明において、自動スクロール表示を行うか否かを選択させる選択ステップをさらに有し、制御ステップは、選択ステップにより、自動スクロール表示の実行を指示された場合に、スクロール速度及びスクロール行数で、電子メールの自動スクロール表示を制御することを特徴とする。
【００２６】
請求項１９記載の発明は、自動スクロールにより電子メールを表示する機能を備えた端末装置に画面表示制御方法を実行させるためのプログラムにおいて、あらかじめ設定された、所定の要素に応じたスクロール速度及びスクロール行数を記憶する記憶処理と、所定の要素が所定の条件を満たすか否かを判断する判断処理と、判断手段による判断の結果に基づいて、記憶手段に記憶されている、あらかじめ設定されたスクロール速度及びスクロール行数で、電子メールを自動スクロールで表示するように制御する制御処理と、を端末装置に実行させることを特徴とする。
【００２７】
請求項２０記載の発明は、請求項１９記載の発明において、所定の要素は、電子メールのデータ量であり、制御処理は、判断処理により、電子メールのデータ量が所定の値を超えたと判断された場合に、記憶処理で記憶した、電子メールのデータ量に応じてあらかじめ設定されたスクロール速度及びスクロール行数で、電子メールを自動スクロールで表示するように制御することを特徴とする。
【００２８】
請求項２１記載の発明は、請求項１９又は２０記載の発明において、判断処理は、電子メールの本文の文頭から、あらかじめ指定された文字の数をカウントし、記憶処理であらかじめ設定された数を超えたか否かを判断し、制御処理は、判断処理による判断の結果、あらかじめ設定された数を超えた場合、電子メールの本文中のあらかじめ設定された位置にスキップし、位置から表示を開始するように制御することを特徴とする。
【００２９】
請求項２２記載の発明は、請求項１９から２１のいずれか１項に記載の発明において、記憶処理は、判断処理により、電子メールのデータ量が所定値を超えたと判断された場合に、スクロール速度及びスクロール行数のうち少なくとも１つを一定にして表示する設定があらかじめされ、制御処理は、記憶処理にあらかじめされた設定に従って、電子メールの自動スクロール表示を制御することを特徴とする。
【００３０】
請求項２３記載の発明は、請求項１９から２２のいずれか１項に記載の発明において、記憶処理は、電子メールのデータ量が複数設定され、複数のデータ量毎に、スクロール速度及びスクロール行数が設定され、制御処理は、記憶処理にあらかじめされた設定に従って、電子メールの自動スクロール表示を制御することを特徴とする。
【００３１】
請求項２４記載の発明は、請求項１９から２３のいずれか１項に記載の発明において、記憶処理は、画面に表示できる最大文字数に応じて、スクロール速度及びスクロール行数を変化させる設定があらかじめされ、制御処理は、記憶処理にあらかじめされた設定に従って、電子メールの自動スクロール表示を制御することを特徴とする。
【００３２】
請求項２５記載の発明は、請求項１９から２４のいずれか１項に記載の発明において、記憶処理は、縦画面表示と横画面表示の両方が可能な表示部の場合に、縦画面と横画面とのそれぞれに応じて、スクロール速度及びスクロール行数を変化させる設定があらかじめされ、制御処理は、記憶処理にあらかじめされた設定に従って、電子メールの自動スクロール表示を制御することを特徴とする。
【００３３】
請求項２６記載の発明は、請求項１９から２５のいずれか１項に記載の発明において、記憶処理は、実際に画面に表示している文字数に応じて、スクロール速度及びスクロール行数を変化させる設定があらかじめされ、制御処理は、記憶処理にあらかじめされた設定に従って、電子メールの自動スクロール表示を制御することを特徴とする。
【００３４】
請求項２７記載の発明は、請求項１９から２６のいずれか１項に記載の発明において、自動スクロール表示を行うか否かを選択させる選択処理をさらに実行させ、制御処理は、選択処理により、自動スクロール表示の実行を指示された場合に、スクロール速度及びスクロール行数で、電子メールの自動スクロール表示を制御することを特徴とする。
【発明の効果】
【００３５】
本発明によれば、使用者の操作負担を軽減するための電子メール本文の表示方法において、更なる利便性の向上を図ることが可能となる。
【発明を実施するための最良の形態】
【００３６】
以下、本発明を実施するための最良の形態について添付図面を参照して詳細に説明する。
【実施例１】
【００３７】
図１は、本発明の実施例１である携帯端末装置の基本構成を示すブロック図である。
図１において、送受信部１は、無線機能を有し、データの通信を行う。バイトカウンタ部２は、送受信したメール本文のデータバイト数をカウントする。ＲＯＭ３は、あらかじめユーザにより設定される、データバイト数に応じたスクロール速度と、スクロール行数とを保存する。表示部５と表示操作部４は、ＣＰＵ８からの指令により、メール本文の表示を実行する。操作キー６とキー入力部７は、手動でスクロールを実施するための操作部である。ＣＰＵ８は全回路を制御する。このＣＰＵ８は、ＲＯＭ３に格納される等したプログラムに従って上記各部を制御し、後述する本実施例の動作（画面表示制御方法）を実行する。
【００３８】
送受信部１により送受信されたメール本文のデータ量を、バイトカウンタ部２にてカウントし、あらかじめユーザにより設定されてＲＯＭ３に保存されている、データバイト数に応じた、スクロール速度（どの程度の速さでスクロールするか）及びスクロール行数（何行ごとスクロールするか）に基づいて、表示操作部４は表示部５を制御し、ユーザによる操作を必要としない「自動スクロール表示」を行う。
【００３９】
また、文字認識部９は、送受信されたメール本文中の文字を認識し、ある一定の文字（文字コード）数をカウントし、ＲＯＭ３で設定された一定数量を超えた場合、指定された本文中の位置に自動にスキップし、表示を開始する。
【００４０】
次に、本実施例の携帯端末装置の動作について、図２に示すフローチャートを参照して以下に説明する。なお、以下の説明では、メールを受信した場合について説明するが、送信した場合にも同様の処理が可能である。
【００４１】
メールを受信すると（ステップＳ１）、そのメール本文のデータ量をバイトカウンタ部２がカウントし（ステップＳ２）、ＲＯＭ３にあらかじめ保存されているバイト数を超えたか否かを判断する（ステップＳ３）。
【００４２】
ステップＳ３の判断の結果、ＲＯＭ３に保存されているバイト数を超えていない場合（ステップＳ３／少ない）、デフォルトのままとする（ステップＳ４）。
【００４３】
一方、ステップＳ３の判断の結果、ＲＯＭ３に保存されているバイト数を超えた場合（ステップＳ３／多い）、あらかじめＲＯＭ３に保存されているスクロール速度及びスクロール行数に設定するように、ＣＰＵ８は表示操作部４を制御する（ステップＳ５）。
【００４４】
そして、文字認識部９により、メール本文の文頭から、例えば「@」「.」「.jp」「,」（すべて半角英）等の文字（指定文字）の数をカウントし（ステップＳ６）、あらかじめＲＯＭ３に設定された数を超えたか否かを判断する（ステップＳ７）。
【００４５】
ステップＳ７の判断の結果、あらかじめＲＯＭ３に設定された数を超えない場合（ステップＳ７／ＮＯ）、表示操作部４は、設定されたスクロール速度及びスクロール行数で、メール本文の表示を表示部５にて行う（ステップＳ９）。
【００４６】
一方、ステップＳ７の判断の結果、あらかじめＲＯＭ３に設定された数を超えた場合（ステップＳ７／ＹＥＳ）、あらかじめ設定されたメール文中の位置にスキップするように、ＣＰＵ８は表示操作部４を制御する（ステップＳ８）。ここで、設定された文中（スキップする箇所）とは、上述した指定文字がカウントされた最後の文字、もしくは文頭より文字認識を開始し、全角文字が認識された部分の、いずれか早いほうの行である。
【００４７】
ＣＰＵ８は、設定されたスクロール速度、行数及びスキップ箇所を表示操作部４に設定し、表示操作部４は、表示部５に自動でスキップ後、自動で設定されたスクロール表示を実施する（ステップＳ９）。
【００４８】
また、本実施例１において、図２におけるステップＳ３の判断の結果、ＲＯＭ３に保存されているバイト数を超えた場合（ステップＳ３／多い）、図３のフローチャートに示すように、使用者がキー操作を実行することにより、自動スクロール機能の実行の有無を選択させるステップＳ１４を加えるようにしてもよい。使用者により、自動スクロール機能の実行が指示された場合は（ステップＳ１４／ＹＥＳ）、上記ステップＳ５と同様に、スクロール速度及びスクロール行数の変更を行う（ステップＳ１６）。一方、使用者により、自動スクロール機能の不実行が指示された場合は（ステップＳ１４／ＮＯ）、デフォルトのままとする（ステップＳ１５）。このように、使用者の選択ステップを設けることで、使用者が自動スクロールを実行させたくない場合に対応できる。
【００４９】
以上説明したように、本実施例１においては、以下に記載するような効果を奏する。
送受信したメール本文のバイト数に応じて、表示する際のスクロール速度及びスクロール行数（上記特許文献１に、この要素は無い）を自動で決定し表示しているので、特に長文メールの場合に使用者の操作の負担を軽減できる。
【００５０】
また、転送メールなどにおいて、本文の文頭にメールアドレスが続いて記載されている場合、自動に判定してスキップし表示しているので、使用者の操作の負担を軽減できる。
【実施例２】
【００５１】
本発明の実施例２は、その基本的構成は、上記実施例１と同じであるが、ＲＯＭ３についてさらに工夫している。
【００５２】
使用者によるＲＯＭ３への設定登録の例を以下に挙げる。
〈１〉ある設定以上のバイト量を超えた場合に、スクロール速度及びスクロール行数のうち少なくとも１つを一定にして表示する設定ができるようにする。
〈２〉複数のバイト量を設定し、それぞれのバイト量について、スクロール速度及びスクロール行数を設定できるようにする。例えば、１００バイト以上は「速度１００、行数２」、２００バイト以上は「速度２００、行数３」など、複数のバイト量に応じた設定ができるようにする。
〈３〉画面の解像度（画面に表示できる最大文字数）に応じて、スクロール速度及びスクロール行数を変化させるように設定できるようにする。
〈４〉縦画面表示と横画面表示の両方が可能な表示部の場合に、縦画面と横画面とのそれぞれに応じて、スクロール速度及びスクロール行数を変化させるように設定できるようにする。
〈５〉実際に画面に表示している文字数に応じて、スクロール速度及びスクロール行数を変化させるように設定できるようにする。
【００５３】
このように、本実施例では、上述した〈１〉〜〈５〉のような様々な要素に応じて、スクロール速度とスクロール行数を設定できるので、それらに応じた、見やすい設定が可能になり、ユーザビリティの向上を図れるという効果が得られる。
【００５４】
さらには、本発明に文字認識機能を付加して一定条件の文字列などが続いた場合に、一定条件の文字列をスキップしてスクロール機能を開始することも可能である。
【００５５】
以上、本発明の実施例について説明したが、上記記載に限定されるものではなく、その要旨を逸脱しない範囲において種々の変形が可能である。
【産業上の利用可能性】
【００５６】
本発明は、携帯電話機、ＰＨＳ（Personal Handyphone System）、ＰＤＡ（Personal Data Assistance，Personal Digital Assistants：個人向け携帯型情報通信機器）等の携帯端末装置であって電子メールの送受信が可能な装置に適用できる。
【図面の簡単な説明】
【００５７】
【図１】本発明の実施例１に係る全体構成を示すブロック図である。
【図２】本発明の実施例１に係る動作を示すフローチャートである。
【図３】本発明の実施例１に係る追加動作を示すフローチャートである。
【符号の説明】
【００５８】
１    送受信部
２    バイトカウンタ部
３    ＲＯＭ
４    表示操作部
５    表示部
６    操作キー
７    キー入力部
８    ＣＰＵ
９    文字認識部
【図１】
2008210049.tif 000003
【図２】
2008210049.tif 000004
【図３】
2008210049.tif 000005